(57)【要約】【課題】  パーソナルコンピュータ等のホスト装置を接続しないスタンドアロンでのインデックス印刷機能を有する記録装置において、液晶ディスプレイ等の表示装置を設けずに記録装置の状態情報等をユーザに伝達することができるユーザインターフェースを実現して、記録装置のさらなるコストダウン並びに小型化を可能にする。【解決手段】  「インデックスシート走査手段」にてインデックスシートＤＸのマーキング状態を走査した後、インデックスシートＤＸを排出する前に、「記録実行手段」にてインデックスシートＤＸの情報記録領域ＰＡにインクジェット式記録装置５０の装置状態情報を記録する。作成したインデックスシートＤＸを２回以上繰り返し利用する場合には、インデックスシートＤＸの情報記録領域ＰＡに記録されている過去の装置状態情報を無効とする記録を実行してから現在の装置状態情報を情報記録領域ＰＡに記録する。【選択図】図４
2006056131.tif 000002
【特許請求の範囲】
【請求項１】
外部から画像データを入力可能な画像データ入力手段と、
該画像データ入力手段にて入力した画像データを被記録材へ記録する記録実行手段と、
前記画像データ入力手段にて入力可能な状態にある全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、
前記インデックスシート走査手段にて読み取った前記インデックスシートの各マーキング欄のマーキング状態に基づいて、前記画像データ入力手段にて入力可能な状態にある全画像データの中から記録を実行する画像データを選択して記録を実行する制御装置とを備えた記録装置であって、
前記制御装置は、前記インデックスシート走査手段にて前記インデックスシートのマーキング状態を走査した後、前記インデックスシートを排出する前に、前記記録実行手段にて前記インデックスシートの情報記録領域に前記記録装置の装置状態情報を記録する、ことを特徴とした記録装置。
【請求項２】
外部記憶媒体に格納されている画像データを読み込み可能な画像データ読込手段と、
該画像データ読込手段にて読み込んだ画像データを被記録材へ記録する記録実行手段と、
前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、
前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御装置とを備えた記録装置であって、
前記制御装置は、前記インデックスシート走査手段にて前記インデックスシートのマーキング状態を走査した後、前記インデックスシートを排出する前に、前記記録実行手段にて前記インデックスシートの情報記録領域に前記記録装置の装置状態情報を記録する、ことを特徴とした記録装置。
【請求項３】
請求項２において、前記制御装置は、前記記録実行手段にて前記インデックスシートの情報記録領域に前記記録装置の装置状態情報を記録する際に、当該インデックスシートの情報記録領域を前記インデックスシート走査手段にて走査し、前回走査時に記録した装置状態情報がある場合には、前記記録実行手段にて前回走査時に記録した装置状態情報を無効とする記録を実行する、ことを特徴とした記録装置。
【請求項４】
請求項２又は３において、前記制御装置は、前記外部記憶媒体から前記画像データ読込手段にて読み込んだ全画像データによる前記インデックスシートを前記記録実行手段にて作成する際には、前記インデックスシート作成時に前記外部記憶媒体に格納されている全画像データと前記インデックスシートの全縮小画像とが一致しているか否かを検証するための検証用情報を全画像データから所定の情報生成方法によって生成して前記インデックスシートの所定の領域へ記録し、
マーキング後の前記インデックスシートを前記インデックスシート走査手段にて走査する際には、マーキング状態を読み取る前に、前記外部記憶媒体に格納されている全画像データから所定の情報生成方法によって生成した検証用情報と、前記インデックスシート走査手段にて読み取った前記インデックスシートに記録されている前記検証用情報とを比較し、一致した場合のみ当該インデックスシートのマーキング状態の読み取りを実行し、一致しなかった場合には、当該インデックスシートのマーキング状態の読み取りを実行せずに、当該インデックスシートが無効である旨を前記記録実行手段にて前記情報記録領域に記録してから当該インデックスシートを排出する、ことを特徴とした記録装置。
【請求項５】
外部記憶媒体に格納されている画像データを読み込み可能な画像データ読込手段と、
該画像データ読込手段にて読み込んだ画像データを被記録材へ記録する記録実行手段と、
前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、
前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御装置とを備えた記録装置であって、
前記制御装置は、前記外部記憶媒体から前記画像データ読込手段にて読み込んだ全画像データによる前記インデックスシートを前記記録実行手段にて作成する際には、前記インデックスシート作成時に前記外部記憶媒体に格納されている全画像データと前記インデックスシートの全縮小画像とが一致しているか否かを検証するための検証用情報を全画像データから所定の情報生成方法によって生成して前記インデックスシートの所定の領域へ記録し、
マーキング後の前記インデックスシートを前記インデックスシート走査手段にて走査する際には、マーキング状態を読み取る前に、前記外部記憶媒体に格納されている全画像データから所定の情報生成方法によって生成した検証用情報と、前記インデックスシート走査手段にて読み取った前記インデックスシートに記録されている前記検証用情報とを比較し、一致した場合のみ当該インデックスシートのマーキング状態の読み取りを実行する、ことを特徴とした記録装置。
【請求項６】
請求項４又は５において、前記制御装置は、マーキング後の前記インデックスシートを前記インデックスシート走査手段にて走査する際に、前記インデックスシートに記録されている前記検証用情報と前記外部記憶媒体に記憶されている前記検証用情報とが一致しなかった場合には、当該インデックスシートに記録されている前記検証用情報を無効とする記録を前記記録実行手段にて当該インデックスシートに実行してから当該インデックスシートを排出する、ことを特徴とした記録装置。
【請求項７】
請求項４〜６のいずれか１項において、前記制御装置は、前記インデックスシートを作成する際には、前記インデックスシートの所定の位置に有効なインデックスシートであることを識別するための識別情報を記録し、
マーキング後の前記インデックスシートを前記インデックスシート走査手段にて走査する際には、マーキング状態を読み取る前に、前記インデックスシート走査手段にて前記識別情報を読み取って、当該識別情報が有効なインデックスシートである場合のみ、当該インデックスシートのマーキング状態の読み取りを実行し、マーキング状態に基づく被記録材への記録を実行する、ことを特徴とした記録装置。
【請求項８】
請求項７において、前記制御装置は、マーキング後の前記インデックスシートを前記インデックスシート走査手段にて走査する際に、前記インデックスシートに記録されている前記検証用情報と前記外部記憶媒体に記憶されている前記検証用情報とが一致しなかった場合には、前記識別情報を無効とする記録を前記記録実行手段にて当該インデックスシートに実行してから当該インデックスシートを排出する、ことを特徴とした記録装置。
【請求項９】
請求項４〜８のいずれか１項において、前記記録装置は、被記録材を積重可能な被記録材積重手段と、該被記録材積重手段に積重されている被記録材の最上位の被記録材を前記記録実行手段へ自動給送する自動給送手段と、前記インデックスシートに基づく記録を実行するためのインデックス記録操作スイッチとを備え、
前記制御装置は、前記インデックス記録操作スイッチが操作された場合には、前記自動給送手段による被記録材の自動給送を実行し、自動給送された被記録材を前記インデックスシート走査手段によって走査し、
自動給送された被記録材から有効な識別情報を検出した場合には、有効なインデックスシートであると判定して当該インデックスシートのマーキング状態を読み取り、読み取ったマーキング情報に基づくインデックス情報をセットして排出した後、当該インデックス情報に基づく記録を実行し、
前記インデックス記録操作スイッチが操作された後、最初に自動給送された被記録材から前記識別情報を検出できなかった場合には、未記録状態の被記録材であると判定して当該未記録状態の被記録材へ前記インデックスシートを作成する記録を実行して排出する、ことを特徴とした記録装置。
【請求項１０】
請求項９において、前記記録装置は、前記外部記憶媒体に格納されている全画像データの記録を実行するための記録操作スイッチを備え、
前記制御装置は、前記記録操作スイッチが操作された場合には、前記自動給送手段による被記録材の自動給送を実行し、自動給送された被記録材を前記インデックスシート走査手段によって走査し、
自動給送された被記録材から有効な識別情報を検出した場合には、有効なインデックスシートであると判定して当該インデックスシートのマーキング状態を読み取り、読み取ったマーキング情報に基づくインデックス情報をセットして排出した後、当該インデックス情報に基づく記録を実行し、
前記記録操作スイッチが操作された後、最初に自動給送された被記録材から前記識別情報を検出できなかった場合には、未記録状態の被記録材であると判定して前記外部記憶媒体に格納されている全画像データの記録を実行する、ことを特徴とした記録装置。
【請求項１１】
請求項４〜１０のいずれか１項において、前記検証用情報は、前記外部記憶媒体に格納されている全画像データのデータ量に基づいて生成したチェックサム値であり、前記制御装置は、前記インデックスシートに前記チェックサム値を２進数に変換して記録する、ことを特徴とした記録装置。
【請求項１２】
請求項１〜１１のいずれか１項において、前記記録実行手段は、被記録材へ記録を実行するための記録ヘッド、及び非接触の光学式センサを搭載し、主走査方向へ往復動可能に配設されたキャリッジと、被記録材を副走査方向へ所定の搬送量で搬送するための被記録材搬送手段とを有し、
前記インデックスシート走査手段は、前記キャリッジを往復動させることによって、前記インデックスシートに対して前記光学式センサを主走査方向へ走査させる動作と、前記インデックスシートを前記被記録材搬送手段で副走査方向へ搬送することによって、前記インデックスシートに対して前記光学式センサを副走査方向へ走査させる動作とによって、前記インデックスシートの記録面を前記光学式センサで走査する構成を有している、ことを特徴とした記録装置。
【請求項１３】
外部記憶媒体に格納されている画像データを読み込み可能な画像データ読込手段と、該画像データ読込手段にて読み込んだ画像データを被記録材へ記録する記録実行手段と、前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段とを備えた記録装置において、
前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御をコンピュータに実行させるための記録制御プログラムであって、
前記インデックスシート走査手段にて前記インデックスシートのマーキング状態を走査する手順と、
前記インデックスシートを排出する前に、前記記録実行手段にて前記インデックスシートの情報記録領域に前記記録装置の装置状態情報を記録する手順とを有する、ことを特徴とした記録制御プログラム。
【発明の詳細な説明】
【技術分野】
【０００１】
本発明は、パーソナルコンピュータ等のホスト装置を接続しないスタンドアロンでのインデックス印刷機能を有する記録装置に関する。
【背景技術】
【０００２】
デジタルカメラ等で撮影したデジタル画像が格納されているメモリカード等の外部記憶媒体に格納されている画像データを、パーソナルコンピュータ等のホスト装置を介さずに、記録装置に配設されたメモリカードスロット等の画像データ読込手段で直接読み込んで直接印刷することができる、いわゆるダイレクトプリント機能を備えた記録装置が公知である。このような記録装置には、いわゆるインデックス印刷機能を有しているものがある。インデックス印刷とは、まず、メモリカード内の全画像データの縮小画像を並べて印刷した、いわゆるインデックスシート（オーダーシートともいう）を作成する。
【０００３】
次に、そのインデックスシートに並べて印刷されている縮小画像の中からユーザが所望の画像データの縮小画像を選択し、選択した縮小画像に対応するマーキング欄にマーキングをする。つづいて、マーキング後のインデックスシートの印刷面（縮小画像及びマーキング欄が印刷されている面）をスキャナ等の読み取り手段によって走査してマーキング状態を読み取る。そして、読み取ったマーキング状態からユーザが選択した画像データを特定し、選択された画像データをメモリカードから読み込んで印刷を実行するものである。マーキング欄のマーキングによって、画像データの選択のみならず選択した画像データの印刷枚数、印刷画質、印刷サイズ等を指定することができるようにすることも可能である。（例えば特許文献１を参照）。
【０００４】
【特許文献１】特開２００４−３４５８４号公報
【発明の開示】
【発明が解決しようとする課題】
【０００５】
ところで、記録装置の状態情報（印刷可能枚数、インク残量等）やアラート情報（インク切れ等）は、通常パーソナルコンピュータ等のホスト装置を接続してホスト装置から印刷データを送信して印刷している状態では、ホスト装置のディスプレイ等に表示される。しかし、パーソナルコンピュータ等のホスト装置を接続しないスタンドアロンでのインデックス印刷機能を有する記録装置においては、上記状態情報やアラート情報等をユーザに表示するために液晶ディスプレイ等の何らかの表示装置を記録装置側に設けなければならなかった。そのため、液晶ディプレイ等の表示装置を省くことによる記録装置のさらなるコストダウン及び小型化を図ることができないという課題があった。
【０００６】
本発明は、このような状況に鑑み成されたものであり、その課題は、パーソナルコンピュータ等のホスト装置を接続しないスタンドアロンでのインデックス印刷機能を有する記録装置において、液晶ディスプレイ等の表示装置を設けずに記録装置の状態情報等をユーザに伝達することができるユーザインターフェースを実現して、記録装置のさらなるコストダウン並びに小型化を可能にすることにある。
【課題を解決するための手段】
【０００７】
上記課題を達成するため、本発明の第１の態様は、外部から画像データを入力可能な画像データ入力手段と、該画像データ入力手段にて入力した画像データを被記録材へ記録する記録実行手段と、前記画像データ入力手段にて入力可能な状態にある全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、前記インデックスシート走査手段にて読み取った前記インデックスシートの各マーキング欄のマーキング状態に基づいて、前記画像データ入力手段にて入力可能な状態にある全画像データの中から記録を実行する画像データを選択して記録を実行する制御装置とを備えた記録装置であって、前記制御装置は、前記インデックスシート走査手段にて前記インデックスシートのマーキング状態を走査した後、前記インデックスシートを排出する前に、前記記録実行手段にて前記インデックスシートの情報記録領域に前記記録装置の装置状態情報を記録する、ことを特徴とした記録装置である。
【０００８】
インデックスシートには、記録装置の装置状態情報を記録するための情報記録領域が設けられている。また、インデックスシートのマーキング状態を走査するためのインデックスシート走査手段は、記録実行手段により被記録材へ記録を実行する際に被記録材が搬送される搬送経路と同じ搬送経路でインデックスシートを搬送しながらインデックスシートのマーキング面を走査可能に構成されている。そして、インデックスシート走査手段にてインデックスシートのマーキング状態を走査した後、インデックスシートを排出する前に、記録実行手段にてインデックスシートの情報記録領域に記録装置の装置状態情報を記録する。つまり、インデックスシートによるインデックス印刷を実行する度に、ユーザに伝達すべき記録装置の装置状態情報（印刷可能枚数、インク残量等、インク切れ等）がある場合には、インデックスシートの情報記録領域にその情報を記録する。それによって、記録装置に液晶ディスプレイ等の表示装置を設けることなく、ユーザに伝達すべき記録装置の装置状態情報を伝達することができる。
【０００９】
これにより、本発明の第１の態様に記載の記録装置によれば、パーソナルコンピュータ等のホスト装置を接続しないスタンドアロンでのインデックス印刷機能を有する記録装置において、記録装置に液晶ディスプレイ等の表示装置を設けることなく、ユーザに伝達すべき記録装置の装置状態情報を伝達することができるので、記録装置のさらなるコストダウン並びに小型化が可能になるという作用効果が得られる。
【００１０】
本発明の第２の態様は、外部記憶媒体に格納されている画像データを読み込み可能な画像データ読込手段と、該画像データ読込手段にて読み込んだ画像データを被記録材へ記録する記録実行手段と、前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御装置とを備えた記録装置であって、前記制御装置は、前記インデックスシート走査手段にて前記インデックスシートのマーキング状態を走査した後、前記インデックスシートを排出する前に、前記記録実行手段にて前記インデックスシートの情報記録領域に前記記録装置の装置状態情報を記録する、ことを特徴とした記録装置である。
【００１１】
本発明の第２の態様に記載の記録装置によれば、前述した第１の態様と同様に、パーソナルコンピュータ等のホスト装置を接続しないスタンドアロンでのインデックス印刷機能を有する記録装置において、記録装置に液晶ディスプレイ等の表示装置を設けることなく、ユーザに伝達すべき記録装置の装置状態情報を伝達することができるので、記録装置のさらなるコストダウン並びに小型化が可能になるという作用効果が得られる。
【００１２】
本発明の第３の態様は、前述した第２の態様において、前記制御装置は、前記記録実行手段にて前記インデックスシートの情報記録領域に前記記録装置の装置状態情報を記録する際に、当該インデックスシートの情報記録領域を前記インデックスシート走査手段にて走査し、前回走査時に記録した装置状態情報がある場合には、前記記録実行手段にて前回走査時に記録した装置状態情報を無効とする記録を実行する、ことを特徴とした記録装置である。
【００１３】
作成したインデックスシートを２回以上繰り返し利用する場合には、情報記録領域に前回使用時に記録された装置状態情報が記録されている場合がある。そして、情報記録領域の空き領域に履歴の如く装置状態情報を記録していくと、ユーザにしてみれば、情報記録領域に記録されている装置状態情報のどれが現時点の装置状態情報を記録したものなのかが判別しにくい可能性がある。そこで、インデックスシートの情報記録領域に前回走査時の装置状態情報、つまり過去の装置状態情報が記録されている場合には、その過去の装置状態情報を無効とする記録を実行する。例えば、過去の装置状態情報には、取消線を重ねて記録する、或いはホワイトインクで消してしまうような記録をする等、その装置状態情報が過去のものであり、現時点で有効でないことが分かるような記録を実行する。それによって、インデックスシートのマーキング状態の読み取り時点で情報記録領域に記録された記録装置の装置状態情報のみが現時点における装置状態を表した有効な装置状態情報であることを明確に表示することができる。
【００１４】
本発明の第４の態様は、前述した第２の態様又は第３の態様において、前記制御装置は、前記外部記憶媒体から前記画像データ読込手段にて読み込んだ全画像データによる前記インデックスシートを前記記録実行手段にて作成する際には、前記インデックスシート作成時に前記外部記憶媒体に格納されている全画像データと前記インデックスシートの全縮小画像とが一致しているか否かを検証するための検証用情報を全画像データから所定の情報生成方法によって生成して前記インデックスシートの所定の領域へ記録し、マーキング後の前記インデックスシートを前記インデックスシート走査手段にて走査する際には、マーキング状態を読み取る前に、前記外部記憶媒体に格納されている全画像データから所定の情報生成方法によって生成した検証用情報と、前記インデックスシート走査手段にて読み取った前記インデックスシートに記録されている前記検証用情報とを比較し、一致した場合のみ当該インデックスシートのマーキング状態の読み取りを実行し、一致しなかった場合には、当該インデックスシートのマーキング状態の読み取りを実行せずに、当該インデックスシートが無効である旨を前記記録実行手段にて前記情報記録領域に記録してから当該インデックスシートを排出する、ことを特徴とした記録装置である。
【００１５】
外部記憶媒体に格納されている全画像データの縮小画像を所定の様式で配置するとともに各縮小画像にマーキング欄を付して被記録材への記録を実行することによって、画像データ読込手段にて外部記憶媒体から読み込んだ全画像データのインデックスシートを作成することができる。ところが、インデックスシート作成後に、そのインデックスシートに対応していた外部記憶媒体に格納されている画像データの一部がユーザによって消去されたり、新たな画像データが追加されたりすると、或いは、インデックスシート作成時と異なる外部記憶媒体であると、本来対応しているはずの外部記憶媒体の全画像データとインデックスシートに記録されている縮小画像とに不一致が生じる。そこで、インデックスシートを作成する際には、インデックスシート作成時に外部記憶媒体に格納されている全画像データとインデックスシートの全縮小画像とが一致しているか否かを検証するための検証用情報を全画像データから所定の情報生成方法によって生成してインデックスシートの所定の領域へ記録しておく。
【００１６】
そして、インデックスシート走査手段にてインデックスシートのマーキング状態を読み取る際には、その時点において画像データ読込手段で読込可能な状態にある外部記憶媒体に格納されている全画像データから所定の情報生成方法によって検証用情報を改めて生成し、その生成した検証用情報とインデックスシートに記録されている検証用情報とを比較する。当該インデックスシートの作成後に外部記憶媒体に格納されている画像データに変動が生じている場合、或いは、インデックスシート作成時と異なる外部記憶媒体である場合には、検証用情報は一致しないので、そのインデックスシートは、その外部記憶媒体に対して有効なものとして使用することができない、つまり無効であると判定することができる。
【００１７】
本発明の第５の態様は、外部記憶媒体に格納されている画像データを読み込み可能な画像データ読込手段と、該画像データ読込手段にて読み込んだ画像データを被記録材へ記録する記録実行手段と、前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段と、前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御装置とを備えた記録装置であって、前記制御装置は、前記外部記憶媒体から前記画像データ読込手段にて読み込んだ全画像データによる前記インデックスシートを前記記録実行手段にて作成する際には、前記インデックスシート作成時に前記外部記憶媒体に格納されている全画像データと前記インデックスシートの全縮小画像とが一致しているか否かを検証するための検証用情報を全画像データから所定の情報生成方法によって生成して前記インデックスシートの所定の領域へ記録し、マーキング後の前記インデックスシートを前記インデックスシート走査手段にて走査する際には、マーキング状態を読み取る前に、前記外部記憶媒体に格納されている全画像データから所定の情報生成方法によって生成した検証用情報と、前記インデックスシート走査手段にて読み取った前記インデックスシートに記録されている前記検証用情報とを比較し、一致した場合のみ当該インデックスシートのマーキング状態の読み取りを実行し、一致しなかった場合には、当該インデックスシートに記録されている前記検証用情報を無効とする記録を前記記録実行手段にて当該インデックスシートに実行してから当該インデックスシートを排出する、ことを特徴とした記録装置である。
【００１８】
前述したように、本来対応しているはずの外部記憶媒体の全画像データとインデックスシートに記録されている縮小画像とに不一致が生じる場合がある。そこで、インデックスシートを作成する際には、インデックスシート作成時に外部記憶媒体に格納されている全画像データとインデックスシートの全縮小画像とが一致しているか否かを検証するための検証用情報を全画像データから所定の情報生成方法によって生成してインデックスシートの所定の領域へ記録しておく。インデックスシート走査手段にてインデックスシートのマーキング状態を読み取る際には、その時点において画像データ読込手段で読込可能な状態にある外部記憶媒体に格納されている全画像データから所定の情報生成方法によって検証用情報を改めて生成し、その生成した検証用情報とインデックスシートに記録されている検証用情報とを比較する。当該インデックスシートの作成後に外部記憶媒体に格納されている画像データに変動が生じている場合、或いは、インデックスシート作成時と異なる外部記憶媒体である場合には、検証用情報は一致しないので、そのインデックスシートは、その外部記憶媒体に対して有効なものとして使用することができない、つまり無効であると判定することができる。
【００１９】
本発明の第６の態様は、前述した第４の態様又は第５の態様において、前記制御装置は、マーキング後の前記インデックスシートを前記インデックスシート走査手段にて走査する際に、前記インデックスシートに記録されている前記検証用情報と前記外部記憶媒体に記憶されている前記検証用情報とが一致しなかった場合には、当該インデックスシートに記録されている前記検証用情報を無効とする記録を前記記録実行手段にて当該インデックスシートに実行してから当該インデックスシートを排出する、ことを特徴とした記録装置である。
【００２０】
このように、インデックスシートのマーキング状態を読み取る際に、外部記憶媒体に格納されている全画像データから生成した検証用情報と、インデックスシートに記録されている検証用情報とが一致しなかった場合には、その外部記憶媒体に対してそのインデックスシートが無効であると判定するとともに、そのインデックスシートに記録されている検証用情報を無効とする記録をしてからインデックスシートを排出する。それによって、それ以降、その無効なインデックスシートの検証用情報自体が無効となり、無効なインデックスシートを二度と使用できないようにすることができる。
【００２１】
本発明の第７の態様は、前述した第４の態様〜第６の態様のいずれかにおいて、前記制御装置は、前記インデックスシートを作成する際には、前記インデックスシートの所定の位置に有効なインデックスシートであることを識別するための識別情報を記録し、マーキング後の前記インデックスシートを前記インデックスシート走査手段にて走査する際には、マーキング状態を読み取る前に、前記インデックスシート走査手段にて前記識別情報を読み取って、当該識別情報が有効なインデックスシートである場合のみ、当該インデックスシートのマーキング状態の読み取りを実行し、マーキング状態に基づく被記録材への記録を実行する、ことを特徴とした記録装置である。
【００２２】
インデックスシートを作成する際には、有効なインデックスシートであることを識別するための識別情報をインデックスシートの所定の位置に記録しておく。そして、インデックスシート走査手段にてインデックスシートを走査する際には、その所定の位置をインデックスシート走査手段で読み取ることによって、インデックスシートとそれ以外の被記録材（例えば、未記録の被記録材や記録済みの被記録材等）とを識別することができる。したがって、インデックスシート走査手段にてインデックスシートを走査する際に、最初にその識別情報が記録されているべき所定の位置を読み取るようにすると、その被記録材がインデックスシートでない場合には、無駄なマーキング走査動作を回避することができる。
【００２３】
本発明の第８の態様は、前述した第７の態様において、前記制御装置は、マーキング後の前記インデックスシートを前記インデックスシート走査手段にて走査する際に、前記インデックスシートに記録されている前記検証用情報と前記外部記憶媒体に記憶されている前記検証用情報とが一致しなかった場合には、前記識別情報を無効とする記録を前記記録実行手段にて当該インデックスシートに実行してから当該インデックスシートを排出する、ことを特徴とした記録装置である。
【００２４】
このように、インデックスシートのマーキング状態を読み取る際に、外部記憶媒体に格納されている全画像データから生成した検証用情報と、インデックスシートに記録されている検証用情報とが一致しなかった場合には、その外部記憶媒体に対してそのインデックスシートが無効であると判定するとともに、そのインデックスシートに記録されている識別情報を無効とする記録をしてからインデックスシートを排出する。それによって、それ以降、その無効なインデックスシートの識別情報自体が無効となり、有効なインデックスシートとして検出されなくなるので、無効なインデックスシートを二度と使用できないようにすることができる。
【００２５】
本発明の第９の態様は、前述した第４の態様〜第８の態様のいずれかにおいて、前記記録装置は、被記録材を積重可能な被記録材積重手段と、該被記録材積重手段に積重されている被記録材の最上位の被記録材を前記記録実行手段へ自動給送する自動給送手段と、前記インデックスシートに基づく記録を実行するためのインデックス記録操作スイッチとを備え、前記制御装置は、前記インデックス記録操作スイッチが操作された場合には、前記自動給送手段による被記録材の自動給送を実行し、自動給送された被記録材を前記インデックスシート走査手段によって走査し、自動給送された被記録材から有効な識別情報を検出した場合には、有効なインデックスシートであると判定して当該インデックスシートのマーキング状態を読み取り、読み取ったマーキング情報に基づくインデックス情報をセットして排出した後、当該インデックス情報に基づく記録を実行し、前記インデックス記録操作スイッチが操作された後、最初に自動給送された被記録材から前記識別情報を検出できなかった場合には、未記録状態の被記録材であると判定して当該未記録状態の被記録材へ前記インデックスシートを作成する記録を実行して排出する、ことを特徴とした記録装置である。
【００２６】
インデックス記録操作スイッチを操作すると、制御装置は以下の制御を実行する。まず、自動給送手段によって被記録材を自動給送する。つづいて、インデックスシートであるならば識別情報が記録されている所定の位置をインデックスシート走査手段によって走査して識別情報の有無を検出する。自動給送された被記録材から有効な識別情報を検出した場合には、当該被記録材は有効なインデックスシートと判定し、インデックスシート走査手段によってマーキング状態の読み取りを実行した後に排出する。そして、読み取ったマーキング情報に基づくインデックス情報をセットし、以降はインデックス情報に基づく画像データの記録を全て終えるまで、被記録材の自動給送と自動給送された未記録状態の被記録材へ画像データの記録及び排出を繰り返し実行する。
【００２７】
一方、インデックス記録操作スイッチが操作された後、最初に自動給送された被記録材から識別情報が検出されなかった場合には、当該被記録材は未記録状態の被記録材であると判定し、外部記憶媒体に格納されている全画像データのインデックスシートを作成する記録をその未記録状態の被記録材へ実行して排出する。
【００２８】
つまり、本発明の第９の態様に記載の記録装置によれば、インデックス記録操作スイッチが操作された場合には、最初に自動給送された被記録材がインデックスシートであるか未記録状態の被記録材であるかが識別情報に基づいて判定され、有効なインデックスシートであった場合には、そのインデックスシートのマーキング状態に基づく記録が実行され、未記録状態の被記録材であった場合には、外部記憶媒体に格納されている全画像データのインデックスシートを作成する記録が実行される。したがって、外部記憶媒体に格納されている画像データからインデックスシートを作成すること、並びに作成したインデックスシートへのマーキングに基づいて被記録材への記録を実行することが、全てインデックス記録操作スイッチの操作だけで実行することができる。
【００２９】
本発明の第１０の態様は、前述した第９の態様において、前記記録装置は、前記外部記憶媒体に格納されている全画像データの記録を実行するための記録操作スイッチを備え、前記制御装置は、前記記録操作スイッチが操作された場合には、前記自動給送手段による被記録材の自動給送を実行し、自動給送された被記録材を前記インデックスシート走査手段によって走査し、自動給送された被記録材から有効な識別情報を検出した場合には、有効なインデックスシートであると判定して当該インデックスシートのマーキング状態を読み取り、読み取ったマーキング情報に基づくインデックス情報をセットして排出した後、当該インデックス情報に基づく記録を実行し、前記記録操作スイッチが操作された後、最初に自動給送された被記録材から前記識別情報を検出できなかった場合には、未記録状態の被記録材であると判定して前記外部記憶媒体に格納されている全画像データの記録を実行する、ことを特徴とした記録装置である。
【００３０】
記録操作スイッチを操作すると、制御装置は以下の制御を実行する。まず、自動給送手段によって被記録材を自動給送する。つづいて、インデックスシートであるならば識別情報が記録されている所定の位置をインデックスシート走査手段によって走査して識別情報の有無を検出する。自動給送された被記録材から有効な識別情報を検出した場合には、当該被記録材は有効なインデックスシートと判定し、インデックスシート走査手段によってマーキング状態の読み取りを実行した後に排出する。そして、読み取ったマーキング情報に基づくインデックス情報をセットし、以降はインデックス情報に基づく画像データの記録を全て終えるまで、被記録材の自動給送と自動給送された未記録状態の被記録材へ画像データの記録及び排出を繰り返し実行する。
【００３１】
一方、記録操作スイッチが操作された後、最初に自動給送された被記録材から識別情報が検出されなかった場合には、当該被記録材は未記録状態の被記録材であると判定し、以降は外部記憶媒体に格納されている全画像データの記録を実行する。
【００３２】
つまり、本発明の第９の態様に記載の記録装置によれば、記録操作スイッチが操作された場合には、最初に自動給送された被記録材がインデックスシートであるか未記録状態の被記録材であるかが識別情報に基づいて判定され、有効なインデックスシートであった場合には、そのインデックスシートのマーキング状態に基づく記録が実行され、未記録状態の被記録材であった場合には、外部記憶媒体に格納されている全画像データの記録が実行される。したがって、外部記憶媒体に格納されている画像データの全画像データの記録を実行すること、或いはインデックスシートへのマーキングに基づいて被記録材への記録を実行することが、記録操作スイッチの操作だけで実行することができる。
【００３３】
本発明の第１１の態様は、前述した第４の態様〜第１０の態様のいずれかにおいて、前記検証用情報は、前記外部記憶媒体に格納されている全画像データのデータ量に基づいて生成したチェックサム値であり、前記制御装置は、前記インデックスシートに前記チェックサム値を２進数に変換して記録する、ことを特徴とした記録装置である。チェックサム値とは、データブロックのデータを数値とみなして合計した値であり、本発明においては、例えば、外部記憶媒体に格納されている全画像データのデータ容量、或いは全画像データの日付情報等をそれぞれ数値とみなして合計した値となる。検出用情報を上記チェックサム値とすることによって、比較的簡単な方法で検出精度の高い検出用情報を生成することができる。
【００３４】
本発明の第１２の態様は、前述した第１の態様〜第１１の態様のいずれかにおいて、前記記録実行手段は、被記録材へ記録を実行するための記録ヘッド、及び非接触の光学式センサを搭載し、主走査方向へ往復動可能に配設されたキャリッジと、被記録材を副走査方向へ所定の搬送量で搬送するための被記録材搬送手段とを有し、前記インデックスシート走査手段は、前記キャリッジを往復動させることによって、前記インデックスシートに対して前記光学式センサを主走査方向へ走査させる動作と、前記インデックスシートを前記被記録材搬送手段で副走査方向へ搬送することによって、前記インデックスシートに対して前記光学式センサを副走査方向へ走査させる動作とによって、前記インデックスシートの記録面を前記光学式センサで走査する構成を有している、ことを特徴とした記録装置である。
【００３５】
このように、記録ヘッドを被記録材に対して主走査方向へ走査させるべく記録ヘッドを搭載したキャリッジを主走査方向へ往復動させる構成を有する記録装置において、キャリッジにインデックスシートの読み取りが可能な光学式センサを搭載することによって、インデックスシートの主走査方向への走査が可能になる。また、被記録材を副走査方向へ搬送する被記録材搬送手段でインデックスシートを搬送することによって、インデックスシートの副走査方向への走査が可能になる。インデックスシート走査手段をこのような構成とすることによって、記録実行手段において被記録材への記録が実行される際の被記録材の搬送経路と同じ搬送経路でインデックスシートを搬送しながらインデックスシートのマーキング面の全面を光学式センサで走査することができる。したがって、インデックスシートのマーキング状態を読み取る際に、インデックスシートへの記録も実行することができる。また、一般的なスキャナを備えた記録装置（いわゆる複合機）において、スキャナで設定シートのマーキング状態を読み取る場合に必要となる設定シート全面に相当する広大なビットマップメモリ領域の確保に必要な大量のメモリが、当該態様においては必要ないので、大容量のメモリを記録装置に搭載する必要がなく、その分だけ記録装置のコストを低減させることができる。
【００３６】
本発明の第１３の態様は、外部記憶媒体に格納されている画像データを読み込み可能な画像データ読込手段と、該画像データ読込手段にて読み込んだ画像データを被記録材へ記録する記録実行手段と、前記外部記憶媒体に格納されている全画像データの縮小画像が所定の様式で配置されて記録されているインデックスシートを、前記記録実行手段により被記録材への記録が実行される際の被記録材の搬送経路と同じ搬送経路で搬送しながらマーキング面を走査して、各縮小画像に付されている各マーキング欄のマーキング状態を読み取り可能なインデックスシート走査手段とを備えた記録装置において、前記インデックスシート走査手段にて読み取った前記インデックスシートの各マーキング欄のマーキング状態に基づいて、前記外部記憶媒体に格納されている全画像データの中から記録を実行する画像データを選択して記録を実行する制御をコンピュータに実行させるための記録制御プログラムであって、前記インデックスシート走査手段にて前記インデックスシートのマーキング状態を走査する手順と、前記インデックスシートを排出する前に、前記記録実行手段にて前記インデックスシートの情報記録領域に前記記録装置の装置状態情報を記録する手順とを有する、ことを特徴とした記録制御プログラムである。
【００３７】
本発明の第１３の態様に記載の記録制御プログラムによれば、この記録制御プログラムを実行することができる任意の記録装置に、前述した第２の態様に記載の発明と同様の作用効果をもたらすことができる。
【発明を実施するための最良の形態】
【００３８】
以下、本発明の実施の形態を図面に基づいて説明する。  
まず、本発明に係る「記録装置」の一例としてのインクジェット式記録装置の概略構成について説明する。
【００３９】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐにインクを噴射して記録を行う記録ヘッド６２を記録紙Ｐに対して主走査方向Ｘに走査させる「主走査駆動手段」として、主走査方向Ｘに移動可能にキャリッジガイド軸５１に軸支されたキャリッジ６１が設けられている。キャリッジ６１には、記録ヘッド６２と後述するＰＷセンサ３４とが搭載されており、ＣＲモータ６３の回転駆動力が図示していないベルト伝達機構によって伝達されて主走査方向Ｘに往復動する。記録ヘッド６２のヘッド面と対向する位置には、記録ヘッド６２のヘッド面と記録紙Ｐとのギャップを規定するプラテン５２が設けられている。
【００４０】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ＰＦモータ５８の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向に搬送される。インクジェット記録装置５０の「記録実行手段」は、上述した「主走査駆動手段」と「副走査駆動手段」とで構成され、キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００４１】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「記録実行手段」へ自動給送する「自動給送手段」としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、記録紙ガイド５７ａは、記録紙Ｐの幅に合わせて幅方向に摺動可能に給紙トレイ５７に設けられている。そして、ＰＦモータ５８の回転駆動力が歯車伝達されて回転する給紙ローラ５７ｂの回転駆動力と、分離パッドの摩擦抵抗により、給紙トレイ５７に置かれた記録紙Ｐを給紙する際に、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、公知の技術による紙検出器３３が配設されている。
【００４２】
一方、記録実行後の記録紙Ｐを排紙する手段として、「排出駆動ローラ」としての排紙駆動ローラ５５と排紙従動ローラ５６とが設けられている。排紙駆動ローラ５５は、ＰＦモータ５８の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。そして、給紙ローラ５７ｂや搬送駆動ローラ５３、及び排紙駆動ローラ５５を回転駆動するＰＦモータ５８、並びにキャリッジ６１を主走査方向に駆動するＣＲモータ６３は、「制御装置」としての記録制御部１００により駆動制御される。また、記録ヘッド６２も同様に、記録制御部１００により駆動制御されて記録紙Ｐの表面にインクを噴射する。
【００４３】
「制御装置」としての記録制御部１００は、ＲＯＭ１０１、ＲＡＭ１０２、メモリカードＩＦ１０３、ＭＰＵ１０４、ＤＣユニット１０５、ＰＦモータドライバ１０６、ＣＲモータドライバ１０７、ヘッドドライバ１０８、及び不揮発性メモリ１０９を備えている。ＭＰＵ１０４およびＤＣユニット１０５には、搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５、「記録実行手段」による記録紙Ｐへの記録を実行するための記録操作スイッチ３６、及びインデックスシートに基づく記録を実行するためのインデックス記録操作スイッチ３７の出力信号が入力される。
【００４４】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している。搬送駆動ローラ５３の回転に伴い変化するロータリスケールセンサ３１２の出力信号がＭＰＵ１０４並びにＤＣユニット１０５へ出力される。また、公知のリニアエンコーダ３２は、キャリッジ６１の近傍に主走査方向Ｘと略平行に配置されたリニアスケール３２１と、キャリッジ６１に搭載されたリニアスケール３２１に等間隔に形成されているスリットを検出するリニアスケールセンサ３２２とを有している。キャリッジ６１の主走査方向Ｘの移動に伴い変化するリニアスケールセンサ３２２の出力信号がＭＰＵ１０４並びにＤＣユニット１０５へ出力される。
【００４５】
公知の紙検出器３３は、立位姿勢への自己復帰習性が付与され、かつ記録紙搬送方向にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。紙検出器３３は、給紙ローラ５７ｂより給紙された記録紙Ｐの始端位置、及び終端位置を検出し、その検出信号がＭＰＵ１０４へ出力される。ＰＷセンサ３４は、非接触の光学式センサで構成されており、記録紙Ｐの主走査方向Ｘの端部位置（記録紙Ｐの側端位置）を検出し、その検出信号がＭＰＵ１０４へ出力される。紙検出器３３及びＰＷセンサ３４の出力信号に基づいて記録紙Ｐの搬送位置や記録紙Ｐのサイズ等がＭＰＵ１０４において演算される。
【００４６】
ＭＰＵ１０４は、インクジェット式記録装置５０の制御プログラムを実行する為の演算処理やその他必要な演算処理を行う。ＲＯＭ１０１には、インクジェット式記録装置５０を制御する為に必要な制御プログラム（ファームウェア）等が格納されており、制御プログラムの処理に必要な各種設定データ等は不揮発性メモリ１０９に記憶されている。ＲＡＭ１０２は、ＭＰＵ１０４の作業領域や各種データの一次格納領域として用いられる。メモリカードＩＦ１０３には、外部から画像データを入力可能な「画像データ入力手段」として、メモリカード等の外部記憶媒体に格納されている画像データを読み込み可能な「画像データ読込手段」としてのメモリカードスロット２００が接続されている。メモリカードスロット２００に挿入されたメモリカードに格納されている画像データは、メモリカードＩＦ１０３を介して記録制御部１００へ入力される。尚、外部から画像データを入力可能な「画像データ入力手段」は、メモリカードスロット２００に特に限定されるものではなく、例えば、インクジェット式記録装置５０にＵＳＢインタフェース装置を設け、ＵＳＢインタフェースでダイレクト接続されたデジタルカメラ等のデジタル画像機器の内部メモリから画像データを読み込むように構成しても良い。或いは、インクジェット式記録装置５０にネットワーク通信装置等を設け、無線ＬＡＮやインターネットを介して接続可能な状態にある任意の外部装置内の記憶媒体から画像データを入力するように構成しても良い。
【００４７】
ＤＣユニット１０５は、ＤＣモータであるＰＦモータ５８及びＣＲモータ６３の速度制御を行う為の制御回路である。ＤＣユニット１０５は、ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。ＰＦモータドライバ１０６は、ＤＣユニット１０５からのモータ制御信号に基づいてＰＦモータ５８を駆動制御する。また、ヘッドドライバ１０８は、ＭＰＵ１０４からのヘッド制御信号に基づいて記録ヘッド６２を駆動制御する。
【００４８】
つづいて、メモリカードに格納されている全画像データの中から記録紙Ｐに記録を実行する画像データを選択指定するための「インデックスシート」について説明する。
【００４９】
図４及び図５は、インデックスシートの一例を示したインデックスシートの平面図である。  
インデックスシートＤＸは、メモリカード等に格納されている全画像データの縮小画像ＳＭが、図示の如く所定の様式で配置されて記録されている。各縮小画像ＳＭには、それぞれ対応するマーキング欄ＭＡが付されて記録されており、所望の縮小画像ＳＭのマーキング欄ＭＡをマーキング指定することによって、記録紙Ｐへ記録を実行する画像データの選択、及び選択した画像データの記録実行枚数を設定することができるようになっている。  
インクジェット式記録装置５０は、インデックスシートＤＸのマーキング状態を読み取るための「インデックスシート走査手段」を備えている。当該実施例におけるインクジェット式記録装置５０の「インデックスシート走査手段」は、前述した「記録実行手段」を構成する「主走査駆動手段」、「副走査駆動手段」、及びＰＷセンサ３４で構成されており、スキャナ等の専用の走査手段は設けられていない。記録制御部１００は、記録紙Ｐに記録を実行する場合と全く同様に、インデックスシートＤＸを給紙トレイ５７から図示の給紙方向でＡＳＦによって自動給紙し、搬送駆動ローラ５３の回転によってプラテン５２上を搬送されるインデックスシートＤＸのマーキング面をＰＷセンサ３４で走査して各マーキング欄ＭＡのマーキング状態を検出する。
【００５０】
より具体的には、記録制御部１００は、自動給紙したインデックスシートＤＸのマーキング欄ＭＡがキャリッジ６２の往復動によるＰＷセンサ３４の走査線上に位置する如くインデックスシートＤＸを「副走査駆動手段」（搬送駆動ローラ５３及び搬送従動ローラ５４）により副走査方向Ｙへ搬送した後、キャリッジ６２を主走査方向Ｘへ往復動させる。全てのマーキング欄ＭＡの走査が終了するまでこの動作を繰り返し実行して、各マーキング欄ＭＡのマーキング状態を検出する。つまり、「記録実行手段」により記録紙Ｐへの記録が実行される際の記録紙Ｐの搬送経路と同じ搬送経路でインデックスシートＤＸを搬送しながらマーキング面を走査してマーキング状態を読み取る。それによって、インデックスシートＤＸのマーキング状態の読み取りを、記録紙Ｐへ記録を実行するのと同様にＡＳＦで自動給紙して実行することができる。また、インデックスシートＤＸのマーキング面を走査しつつ、そのインデックスシートＤＸに記録を実行することができる。
【００５１】
記録制御部１００は、「インデックスシート走査手段」にてインデックスシートＤＸのマーキング状態を走査した後、インデックスシートＤＸを排出する前に、「記録実行手段」にてインデックスシートＤＸの情報記録領域ＰＡにインクジェット式記録装置５０の装置状態情報を記録する。つまり、インデックスシートＤＸによる「インデックス印刷」を実行する度に、ユーザに伝達すべきインクジェット式記録装置５０の装置状態情報（印刷可能枚数、印刷時間、インク残量、インク切れ、廃液ニアエンド等）がある場合には、インデックスシートＤＸの情報記録領域ＰＡにその情報を記録する。それによって、インクジェット式記録装置５０に液晶ディスプレイ等の表示装置を設けることなく、ユーザに伝達すべきインクジェット式記録装置５０の装置状態情報を、「インデックス印刷」を実行する度に伝達することができる。
【００５２】
また、作成したインデックスシートＤＸを２回以上繰り返し利用する場合には、情報記録領域に前回使用時に記録された装置状態情報が記録されている場合がある。その場合には、インデックスシートＤＸの情報記録領域ＰＡに記録されている過去の装置状態情報を無効とする取消線を重ねて記録し、その装置状態情報が過去のものであり、現時点で有効でないことが分かるようにする。それによって、インデックスシートＤＸのマーキング状態の読み取り時点で情報記録領域ＰＡに記録されたインクジェット式記録装置５０の装置状態情報のみを、現時点におけるインクジェット式記録装置５０の装置状態を表した有効なものとして明確に表示することができる。
【００５３】
インデックスシートＤＸの給紙方向先端側には、ＡＳＦにより自動給紙された記録紙Ｐが白紙の記録紙Ｐではなく有効なインデックスシートＤＸであることを検出するための識別情報が識別情報領域ＣＡに記録されている。具体的には、例えばインデックスシートＤＸの所定の位置に図示の如く３つのマーキング欄で構成された識別情報領域ＣＡを設け、識別情報領域ＣＡのマーキング状態を上記「インデックスシート走査手段」で最初に走査することによって、自動給紙された記録紙Ｐが白紙の記録紙Ｐであるか有効なインデックスシートＤＸであるかを識別することができる。また、インデックスシートＤＸには、インデックスシートＤＸの付加情報が付加情報領域ＮＡに記録されている。例えば、上記識別情報領域ＣＡと同様に３つのマーキング欄で構成し、インデックスシートＤＸが複数枚に及ぶような場合には、その３つのマーキング欄の組み合わせで自動給紙されたそのインデックスシートＤＸのページ番号を識別するようにする。
【００５４】
記録制御部１００は、インデックスシートＤＸの作成時に、識別情報領域ＣＡには、有効なインデックスシートＤＸであることを示す識別情報をあらかじめ記録し、付加情報領域ＮＡには、ページ番号の付加情報をあらかじめ記録する。そして、「インデックスシート走査手段」にてインデックスシートＤＸを走査する際には、識別情報領域ＣＡ及び付加情報領域ＮＡを「インデックスシート走査手段」で読み取ることによって、インデックスシートＤＸと白紙の記録紙Ｐとを識別すること、並びにインデックスシートＤＸのページ番号を識別することができる。したがって、「インデックスシート走査手段」にてインデックスシートＤＸを走査する際に、最初に識別情報領域ＣＡ及び付加情報領域ＮＡを読み取るようにすると、その記録紙ＰがインデックスシートＤＸでない場合には、その後の無駄な走査動作を回避することができる。
【００５５】
インデックスシートＤＸの識別情報領域ＣＡ及び付加情報領域ＮＡの給紙方向後方側には、メモリカードに格納されている全画像データとインデックスシートＤＸの全縮小画像ＳＭとが一致しているか否かを検証するための検証用情報が検証用情報領域ＳＡに記録されている。記録制御部１００は、インデックスシートＤＸの作成時に、この検証用情報をメモリカード内の全画像データから所定の情報生成方法によって生成してインデックスシートＤＸの検証用情報領域ＳＡへ記録する。この検証用情報は、メモリカードに格納されている全画像データのデータ量に基づいて生成したチェックサム値であり、記録制御部１００は、インデックスシートＤＸの検証用情報領域ＳＡにチェックサム値を２進数に変換し、「０」、「１」を「白」、「黒」に置換して記録する。「インデックスシート走査手段」にてインデックスシートＤＸのマーキング状態を読み取る際には、その時点においてメモリカードスロット２００で読込可能な状態にあるメモリカードに格納されている全画像データからチェックサム値を改めて生成し、その生成したチェックサム値とインデックスシートＤＸの検証用情報領域ＳＡに記録されているチェックサム値とを比較する。このように、検出用情報を上記チェックサム値とすることによって、比較的簡単な方法で検出精度の高い検出用情報を生成することができる。  
尚、当該実施例においては、検証用情報領域ＳＡは、マーキング欄ＭＡを横に多数並べたような態様となっているが、特にこのような態様に限定されるものではなく、ＰＷセンサ３４の読み取り性能等も考慮した上で、可能な限りにおいて、誤検出やユーザが誤って検証用情報領域ＳＡにマーキングをしてしまう等の虞が少ない態様とするほうがより好ましい。
【００５６】
当該インデックスシートＤＸの作成後にメモリカードに格納されている画像データに変動が生じている場合、或いは、インデックスシートＤＸの作成時と異なるメモリカードがメモリカードスロット２００に挿入されている場合には、チェックサム値は一致しないので、そのインデックスシートＤＸは、そのメモリカードに対して有効なものとして使用することができない、つまり無効であると判定することができる。記録制御部１００は、インデックスシートＤＸの各マーキング欄ＭＡのマーキング状態を読み取る前に、情報記録領域ＳＡを読み取る。メモリカードスロット２００に挿入されているメモリカードに格納されている全画像データから生成したチェックサム値と、インデックスシートＤＸに記録されているチェックサム値とが一致しなかった場合には、そのメモリカードに対してそのインデックスシートＤＸが無効であると判定し、各マーキング欄ＭＡの読み取りは実行しない。そして、そのインデックスシートＤＸの検証用情報領域ＳＡを塗りつぶす記録を実行する等、そのインデックスシートＤＸのチェックサム値を無効とする記録を実行してからインデックスシートＤＸを排出する。それによって、それ以降、その無効なインデックスシートＤＸの検証用情報領域ＳＡが無効となり、無効なインデックスシートＤＸを二度と使用できないようにすることができる。
【００５７】
或いは、メモリカードスロット２００に挿入されているメモリカードに格納されている全画像データから生成したチェックサム値と、インデックスシートＤＸに記録されているチェックサム値とが一致しなかった場合には、識別情報領域ＣＡの識別情報を無効とする記録を識別情報領域ＣＡに実行してからインデックスシートＤＸを排出しても良い。より具体的には、例えば、識別情報領域ＣＡを構成している３つのマーキング欄を全て塗りつぶすような記録を実行する（図５を参照）。それによって、それ以降、その無効なインデックスシートＤＸの識別情報領域ＣＡが無効となり、有効なインデックスシートＤＸとして検出されなくなるので、無効なインデックスシートＤＸを二度と使用できないようにすることができる。さらには、当該インデックスシートＤＸを無効とした際に、併せて情報記録領域ＰＡに図示の如く「画像データが正しくありません。本シートは以後無効となります。」等の警告メッセージを記録することによって（図５を参照）、当該インデックスシートＤＸが以後無効となったことをユーザに対して明確に伝達することができる。
【００５８】
つづいて、記録操作スイッチ３６並びにインデックス記録操作スイッチ３７を操作したときの記録制御部１００の制御手順について図６〜図８を参照しながら説明する。
【００５９】
図６は、インデックス記録操作スイッチ３７を操作したときの記録制御部１００の制御手順を示したフローチャートである。  
記録制御部１００は、インデックス記録操作スイッチ３７が操作されると、まず、メモリカードスロット２００にメモリカードが挿入されているか否かを判定する（ステップＳ１）。メモリカードスロット２００にメモリカードが挿入されている場合には（ステップＳ１でＹｅｓ）、つづいて、メモリカード内に格納されている画像データがあるか否かを判定する（ステップＳ２）。メモリカード内に格納されている画像データがある場合には（ステップＳ２でＹｅｓ）、ＡＳＦによる記録紙Ｐの自動給紙を実行し（ステップＳ３）、自動給紙された記録紙ＰがインデックスシートＤＸであるか否かを判定する（ステップＳ４）。具体的には、自動給紙された記録紙Ｐの識別情報領域ＣＡをＰＷセンサ３４で走査し、識別情報領域ＣＡに記録されている識別情報の有無で、自動給紙された記録紙Ｐが白紙の記録紙ＰであるかインデックスシートＤＸであるかを判定する。
【００６０】
自動給紙された記録紙ＰがインデックスシートＤＸである場合には（ステップＳ４でＹｅｓ）、後述する「インデックスシート読み取り動作」を実行し（ステップＳ８）、インデックスシートＤＸを排出する（ステップＳ９）。一方、自動給紙された記録紙Ｐが白紙の記録紙Ｐである場合には（ステップＳ４でＮｏ）、つづいて、セットされているインデックス情報があるか否かを判定する（ステップＳ５）。インデックス情報とは、「インデックスシート読み取り動作」で読み取ったインデックスシートＤＸの各マーキング欄ＭＡのマーキング状態に基づいて設定され、記録を実行するべく指定されたメモリカード内の画像データや画像データ毎の記録実行枚数等を指定する情報である。インデックス情報がある場合には（ステップＳ５でＹｅｓ）、そのインデックス情報に基づくメモリカード内の画像データの記録を当該白紙の記録紙Ｐへ実行し（ステップＳ６）、記録実行後の記録紙Ｐを排出する（ステップＳ９）。それによって、インデックスシートＤＸにおいて選択された画像の記録を実行することができる。
【００６１】
インデックス情報がない場合には（ステップＳ５でＮｏ）、メモリカード内の全画像データのインデックスシートＤＸを作成する記録を当該白紙の記録紙Ｐへ実行し（ステップＳ７）、作成したインデックスシートＤＸを排出する（ステップＳ９）。排出動作（ステップＳ９）の実行後は、インデックス情報に基づくメモリカード内の画像データの記録、及びインデックスシートＤＸを作成する記録が全て終了したか否かを判定し（ステップＳ１０）、終了していない場合には（ステップＳ１０でＮｏ）、ステップＳ３へ移行して再びＡＳＦによる自動給紙を実行し、全ての記録が終了した時点で（ステップＳ１０でＹｅｓ）、当該手順を終了する。
【００６２】
このように、メモリカードに格納されている画像データからインデックスシートＤＸを作成すること、並びに作成したインデックスシートＤＸへのマーキングに基づいて記録紙Ｐへの記録を実行することが、全てインデックス記録操作スイッチ３７の操作だけで実行することができる。
【００６３】
図７は、記録操作スイッチ３６を操作したときの記録制御部１００の制御手順を示したフローチャートである。  
記録操作スイッチ３６を操作したときのフローチャート（図７）のステップＳ１１〜ステップＳ２０は、ステップＳ１７を除いて、インデックス記録操作スイッチ３７を操作したときのフローチャート（図６）のステップＳ１〜ステップＳ１０と同様であるため、以下、ステップＳ１７についてのみ説明する。自動給紙された記録紙Ｐが白紙の記録紙Ｐであり（ステップＳ１４でＮｏ）、インデックス情報がない場合には（ステップＳ１５でＮｏ）、メモリカード内の全画像データの記録を実行する（ステップＳ１７）。メモリカード内の全画像データの記録を終了するまで（ステップＳ２０でＹｅｓ）、自動給紙（ステップＳ１３）、メモリカード内の画像データの記録（ステップＳ１７）、及び記録実行後の記録紙Ｐの排出動作（ステップＳ１９）を繰り返し実行する。
【００６４】
このように、メモリカード内に格納されている画像データの全画像データの記録を実行すること、或いはインデックスシートＤＸへのマーキングに基づいて記録紙Ｐへの記録を実行することが、記録操作スイッチ３６の操作だけで実行することができる。
【００６５】
図８は、「インデックスシート読み取り動作」の制御手順を示したフローチャートである。  
まず、自動給紙されたインデックスシートＤＸのチェックサム値が有効か否かを判定する（ステップＳ２１）。具体的には、チェックサム値が２進数に変換して記録されている検証用情報領域ＳＡをＰＷセンサ３４で読み取って、有効なチェックサム値が得られるか否かで判定することができる。自動給紙されたインデックスシートＤＸのチェックサム値が無効である場合には（ステップＳ２１でＮｏ）、当該インデックスシートＤＸは無効であると判定して、そのまま当該手順を終了する。自動給紙されたインデックスシートＤＸのチェックサム値が有効である場合には（ステップＳ２１でＹｅｓ）、つづいて、メモリカードのチェックサム値を取得する（ステップＳ２２）。具体的には、メモリカードスロット２００に挿入されているメモリカード内の全画像データに基づいてチェックサム値を生成する。インデックスシートＤＸの有効なチェックサム値をＰＷセンサで読み取り（ステップＳ２３）、メモリカードのチェックサム値と比較して、メモリカードのチェックサム値が正常か否か、つまり、インデックスシートＤＸの検証用情報領域ＳＡに記録されているチェックサム値と、メモリカードのチェックサム値とが一致するか否かを判定する（ステップＳ２４）。
【００６６】
メモリカードのチェックサム値が正常でない場合には（ステップＳ２４でＮｏ）、つまり、チェックサム値が一致しない場合には、当該インデックスシートＤＸの検証用情報領域ＳＡを塗りつぶす等の記録を実行して、検証用情報領域ＳＡに記録されているチェックサム値を無効にする（ステップＳ２５）。そして、装置状態情報にインデックスシートＤＸの無効情報をセットし（ステップＳ２６）、後述するステップＳ２８へ移行する。一方、メモリカードのチェックサム値が正常である場合には（ステップＳ２４でＹｅｓ）、つまり、チェックサム値が一致した場合には、記録画像情報の読み取りを実行する（ステップＳ２７）。具体的には、各マーキング欄ＭＡのマーキング状態を読み取って、選択されている画像、並びに選択されている画像の記録実行枚数等の情報を取得し、その情報に基づいて前述したインデックス情報をセットする。尚、メモリカードスロット２００にメモリカードが挿入されていない状態で、インデックスシートＤＸが自動給送された場合も検証用情報領域ＳＡを塗りつぶして当該インデックスシートＤＸを無効とするようにしても良い。
【００６７】
つづいて、インデックスシートＤＸの情報記録領域ＰＡの一行目（一番上側）をＰＷセンサ３４で読み取り（ステップＳ２８）、記録済みの装置状態情報の有無、つまり、過去の装置状態情報の記録が情報記録領域ＰＡにあるか否かを判定する（ステップＳ２９）。情報記録領域ＰＡに過去の装置状態情報の記録がある場合には（ステップＳ２９でＹｅｓ）、記録済みの過去の装置状態情報に重ねて取消線を記録して無効化する（ステップＳ３０）。一方、情報記録領域ＰＡに過去の装置状態情報の記録がない場合には（ステップＳ２９でＮｏ）、情報記録領域ＰＡの一行目（一番上側）に装置状態情報を記録する（ステップＳ３１）。情報記録領域ＰＡの一行目の記録実行後は、情報記録領域ＰＡの改行動作を実行する（ステップＳ３２）。具体的には、情報記録領域ＰＡにおける１行分だけインデックスシートＤＸを副走査方向Ｙへ搬送する。
【００６８】
つづいて、情報記録領域ＰＡの空き領域が残っているか否かを判定する（ステップＳ３３）。具体的には、例えば、改行後にＰＷセンサ３４で主走査方向Ｘの走査を実行して情報記録領域ＰＡの最終行を示す目印等が検出されるか否かで判定する。或いは、インデックスシートＤＸの搬送量の累積値から特定するようにしても良い。情報記録領域ＰＡの空き領域が残っていない場合には（ステップＳ３３でＹｅｓ）、そのまま当該手順を終了し、情報記録領域ＰＡの空き領域が残っている場合には（ステップＳ３３でＮｏ）、つづいて、記録すべき装置状態情報の記録が全て終了しているか否かを判定する（ステップＳ３４）。装置状態情報の記録が全て終了している場合には（ステップＳ３４でＹｅｓ）、そのまま当該手順を終了し、装置状態情報の記録が全て終了してない場合には（ステップＳ３４でＮｏ）、ステップＳ２８へ移行して、順次改行動作と記録を繰り返しながら残りの装置状態情報の記録を実行する。
【００６９】
このようにして、パーソナルコンピュータ等のホスト装置を接続しないスタンドアロンでのインデックス印刷機能を有するインクジェット式記録装置５０において、インクジェット式記録装置５０に液晶ディスプレイ等の表示装置を設けることなく、ユーザに伝達すべきインクジェット式記録装置５０の装置状態情報を伝達することができるので、インクジェット式記録装置５０のさらなるコストダウン並びに小型化が可能になる。
【００７０】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７１】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】インデックスシートの平面図である。
【図５】インデックスシートの平面図である。
【図６】インデックス記録操作スイッチの操作時のフローチャートである。
【図７】記録操作スイッチの操作時のフローチャートである。
【図８−１】インデックスシート読み取り動作を示したフローチャートである。
【図８−２】インデックスシート読み取り動作を示したフローチャートである。
【符号の説明】
【００７２】
３４  ＰＷセンサ、３６  記録操作スイッチ、３７  インデックス記録操作スイッチ、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、５８  ＰＦモータ、６１  キャリッジ、６２  記録ヘッド、６３  ＣＲモータ、１００  記録制御部、１０１  ＲＯＭ、１０２  ＲＡＭ、１０３  メモリカードＩＦ、１０４  ＭＰＵ、１０５  ＤＣユニット、１０６  ＰＦモータドライバ、１０７  ＣＲモータドライバ、１０８  ヘッドドライバ、１０９  不揮発性メモリ、２００  メモリカードスロット、ＤＸ  インデックスシート、Ｐ  記録紙、ＰＡ  情報記録領域、ＳＡ  検証用情報領域、Ｘ  主走査方向、Ｙ  副走査方向
【図１】
2006056131.tif 000003
【図２】
2006056131.tif 000004
【図３】
2006056131.tif 000005
【図４】
2006056131.tif 000006
【図５】
2006056131.tif 000007
【図６】
2006056131.tif 000008
【図７】
2006056131.tif 000009
【図８−１】
2006056131.tif 000010
【図８−２】
2006056131.tif 000011